(57)【特許請求の範囲】
【請求項１】
屋根や床に吊り下げられて天井裏空間に配設される天井下地材に着脱自在に支持され、天井設備機器の取り付けが可能なベースユニットと、
該ベースユニットに一対一組で設けたフレーム材間に形成された溝状の係止部と、
一端に取り付けられたパイプ材が上記ベースユニットの上記溝状の係止部に嵌め込まれて係脱自在に係止され、他端は、留め具を通路の壁に打って当該壁に脱着自在に固定されて、天井裏空間を遮蔽する柔軟性を有する仮設天井材とを備えたことを特徴とする仮設天井。
【請求項２】
前記ベースユニットの前記係止部に一端が係脱自在に係止され、他端が前記通路の床に脱着自在に固定されて、前記壁に沿って前記通路を仕切る仮設壁材を備えたことを特徴とする請求項１に記載の仮設天井。
【請求項３】
前記仮設天井材が養生シートであることを特徴とする請求項１または２に記載の仮設天井。
【請求項４】
請求項１に記載の仮設天井を用い、
前記天井設備機器の取り付けが可能な前記ベースユニットを、屋根や床に吊り下げられて天井裏空間に配設される前記天井下地材に着脱自在に支持するステップと、
上記ベースユニットに設けられた前記溝状の係止部に、柔軟性を有する前記仮設天井材の一端に取り付けた前記パイプ材を嵌め込んで係脱自在に係止し、当該仮設天井材の他端を、前記留め具を前記通路の壁に打って当該壁に脱着自在に固定して、天井裏空間を遮蔽するステップと、
天井裏空間に収納される各種設備の取り付けや取り外しを行うステップとを備えたことを特徴とする仮設天井を用いた天井裏空間の施工方法。
【発明の詳細な説明】
【技術分野】
【０００１】
本発明は、天井裏空間に配設される天井設備機器や天井裏空間に対する改修工事や増築工事に際し、廊下や通路などの狭い空間に対して好ましく適用することが可能であって、これら廊下等の日常の使用を妨げることなく施工することが可能であり、さらに、施工者にとっては工事中の落下物による事故を抑制できるとともに、工事中に廊下や通路を使用する通行者の目からは工事現場が覆い隠されて美感を確保でき、そしてまた装置構成も簡便な仮設天井およびこれを用いた天井裏空間の施工方法に関する。
【背景技術】
【０００２】
天井裏空間に配設される各種設備の改修方法として、例えば特許文献１が知られている。この特許文献１では、工事施工中はその日毎の養生工事およびその撤去工事が不要で、オフィス終業後入れ替えで直ちに本設工事に取りかかれるようにするために、オフィスビルの室内に、予め昇降機構によって昇降可能な作業足場となる多機能システム足場を設置し、オフィス終業後の夜間において、仮設天井を室内建具と干渉しない位置まで下降させ、多機能システム足場上で既設天井の解体、および天井裏設備工事を施工するとともに、オフィス始業時までに前記多機能システム足場を上昇させて通常の天井位置に固定することを繰り返し、天井裏設備工事および新設天井工事終了後、前記多機能システム足場を解体撤去するようにしている。
【特許文献１】特開平１１−１２５０１７号公報
【発明の開示】
【発明が解決しようとする課題】
【０００３】
ところで、背景技術にあっては、下降動作される仮設天井や昇降可能な多機能システム足場など、大掛かりな装置を用いるものであり、簡便に設置して施工することはできなかった。また、オフィスビルの室内など、比較的広い空間を対象として用いられるものであって、廊下や通路、例えばデパートやショッピングセンター、駅構内、地下街、病院などの廊下や通路等の比較的狭い空間に適用するには、装置が大掛かりであることも相俟って、難点があった。さらに、オフィスの終業時間帯を利用して施工することを前提としていることから、時間を問わず人の出入りがあって、常時通行があることが想定される箇所の施工に用いるには不向きであった。
【０００４】
本発明は上記従来の課題に鑑みて創案されたものであって、天井裏空間に配設される天井設備機器や天井裏空間に対する改修工事や増築工事に際し、廊下や通路などの狭い空間に対して好ましく適用することが可能であって、これら廊下等の日常の使用を妨げることなく施工することが可能であり、装置構成も簡便な仮設天井およびこれを用いた天井裏空間の施工方法を提供することを目的とする。
【課題を解決するための手段】
【０００５】
本発明にかかる仮設天井は、屋根や床に吊り下げられて天井裏空間に配設される天井下地材に着脱自在に支持され、天井設備機器の取り付けが可能なベースユニットと、該ベースユニットに一対一組で設けたフレーム材間に形成された溝状の係止部と、一端に取り付けられたパイプ材が上記ベースユニットの上記溝状の係止部に嵌め込まれて係脱自在に係止され、他端は、留め具を通路の壁に打って当該壁に脱着自在に固定されて、天井裏空間を遮蔽する柔軟性を有する仮設天井材とを備えたことを特徴とする。
【０００６】
前記ベースユニットの前記係止部に一端が係脱自在に係止され、他端が前記通路の床に脱着自在に固定されて、前記壁に沿って前記通路を仕切る仮設壁材を備えたことを特徴とする。
【０００７】
前記仮設天井材が養生シートであることを特徴とする。
【０００８】
本発明にかかる仮設天井を用いた天井裏空間の施工方法は、上記仮設天井を用い、前記天井設備機器の取り付けが可能な前記ベースユニットを、屋根や床に吊り下げられて天井裏空間に配設される前記天井下地材に着脱自在に支持するステップと、上記ベースユニットに設けられた前記溝状の係止部に、柔軟性を有する前記仮設天井材の一端に取り付けた前記パイプ材を嵌め込んで係脱自在に係止し、当該仮設天井材の他端を、前記留め具を前記通路の壁に打って当該壁に脱着自在に固定して、天井裏空間を遮蔽するステップと、天井裏空間に収納される各種設備の取り付けや取り外しを行うステップとを備えたことを特徴とする。
【発明の効果】
【０００９】
本発明にかかる仮設天井およびこれを用いた天井裏空間の施工方法にあっては、簡便な装置構成で、設置・撤去が容易であり、繰り返し使用することができる仮設天井であるとともに、天井裏空間に配設される天井設備機器や天井裏空間に対する改修工事や増築工事に際し、廊下や通路などの狭い空間に対して好ましく適用することが可能であって、これら廊下等の日常の使用を妨げることなく施工することができる。さらに、施工者にとっては工事中の落下物による事故を抑制できて施工の安全性を確保できるとともに、工事中に廊下や通路を使用する通行者の目からは工事現場が覆い隠されて美感を確保できる。
【発明を実施するための最良の形態】
【００１０】
以下に、本発明にかかる仮設天井およびこれを用いた天井裏空間の施工方法の好適な一実施形態を、添付図面を参照して詳細に説明する。本実施形態にかかる仮設天井は基本的には、図１および図２に示すように、屋根や床に吊り下げられて天井裏空間Ｃに配設される天井下地材１に着脱自在に支持され、天井設備機器２の取り付けが可能なベースユニット３と、ベースユニット３に一対一組で設けた縦フレーム材１２間に形成された溝状の係止部４と、一端に取り付けられたパイプ材１６がベースユニット３の溝状の係止部４に嵌め込まれて係脱自在に係止され、他端は、留め具１７を通路５の壁Ｗに打って当該壁Ｗに脱着自在に固定されて、天井裏空間Ｃを遮蔽する柔軟性を有する仮設天井材６とを備えて構成される。
【００１１】
天井裏空間Ｃは、天井板７上であって、屋根下や床下に形成され、天井下地材１はこれら屋根や床に吊り下げられて天井裏空間Ｃに配設される（図３参照）。天井下地材１は、屋根の場合には、屋根や屋根スラブを支持する梁、桁、垂木等の骨組みあるいは直接屋根スラブなどから吊り下げられる。床の場合には、床スラブや床スラブ下に配設される各種部材から吊り下げられる。天井下地材１はチャンネル材などから構成され、吊り下げ部材８を介してこれら屋根等から吊り下げられる。天井下地材１は、通路５や廊下などに配設される場合、その奥行き方向に適宜間隔を隔てて配設される。
【００１２】
これら天井下地材１には、これに配設される天井板取り付け部材９を介して天井板７が取り付けられ、これら天井板７により、通路５等からは見えないように、天井裏空間Ｃに隠蔽されている。改修工事に際しては、天井板７が撤去されて、天井下地材１が露出される。増築工事に際しては、増設された天井下地材１は、天井板７が取り付けられるまで、露出されている。この露出された天井下地材１には、吊りボルト１０を介して、ベースユニット３が取り付けられ、これによりベースユニット３は、天井下地材１に着脱自在に支持される。本実施形態では、天井下地材１に吊りボルト１０を介してベースユニット３が取り付けられているが、吊りボルト１０を介さずに、天井下地材１に直接ベースユニット３を取り付けてもよい。この場合、天井高さが高くなり、通行人はより開放感を味わえる。
【００１３】
ベースユニット３は主に、中空角筒状の横フレーム材１１および縦フレーム材１２からなるフレーム構造１３と、フレーム構造１３に取り付けられる化粧材１４としてのケイカル板（ケイ酸カルシウム板）と、天井下地材１からの吊りボルト１０が螺合されるアングルピース１５とから構成される。フレーム構造１３は、互いに適宜間隔を隔てて並設された横フレーム材１１上に、これら横フレーム材１１と交差させて当該横フレーム材１１の長さ方向に適宜間隔を隔てて縦フレーム材１２を並設し、これらを互いに接合することで形成される。縦フレーム材１２は、少なくとも一対一組で設けられ、これにより各組の縦フレーム材１２間には、ベースユニット３の長さ方向に沿って溝状の係止部４が形成される。図示例にあっては、縦フレーム材１２は、一対二組で、各組がそれぞれ横フレーム材１１の長さ方向両端側に寄せて配置されて、これにより係止部４は、ベースユニット３の幅方向２箇所に設けられている。
【００１４】
化粧材１４は、フレーム構造１３の下面および左右両側面に取り付けられる。アングルピース１５は、フレーム構造１３の中央寄りに配置された２つの縦フレーム材１２それぞれに、天井下地材１のピッチに合わせて接合され、これらアングルピース１５に吊りボルト１０が螺合されて、ベースユニット３は天井下地材１に支持される。ベースユニット３は、通路５等の幅方向に横フレーム材１１が、通路５等の奥行き方向に縦フレーム材１２が位置するように吊り下げられる。
【００１５】
天井設備機器２は、ベースユニット３に取り付けられる。天井設備機器２としては、例えば照明器具やスプリンクラー、煙感知器などが挙げられる。これら天井設備機器２は、化粧材１４を介して、フレーム構造１３に取り付け固定される。またこれら天井設備機器２には、フレーム構造１３の隙間を介して電気配線や給水管が接続される。ベースユニット３には、改修工事の場合には、既設の天井設備機器２が移し替えられる。増築工事の場合には、新設の天井設備機器２が取り付けられる。
【００１６】
仮設天井材６は、柔軟性を有する矩形状などの養生シートで構成される。仮設天井材６は防炎性や防水性の素材で形成することが好ましい。仮設天井材６の幅方向一側縁には、中空角筒状のパイプ材１６が取り付けられる。このパイプ材１６は、ベースユニット３の溝状の係止部４に嵌め込まれて、当該係止部４に係脱自在に係止される。また、仮設天井材６の幅方向他側縁は、鋲などの留め具１７により通路５等の壁Ｗに脱着自在に固定される。当該他側縁には、少ない数の留め具１７で効果的に仮設天井材６を壁Ｗに固定できるように、相当の長さを有するチャンネル材１８を仮設天井材６に当てた上で、留め具１７で固定することが好ましい。
【００１７】
本実施形態にかかる仮設天井を用いた天井裏空間の施工方法について説明する。改修工事の場合は、図３に示した工事着手前状況における天井板７および天井板取り付け部材９を撤去して、図１および図２に示すように、天井下地材１を露出させる。次いで、天井下地材１に吊りボルト１０を取り付け、この吊りボルト１０を介してベースユニット３を天井下地材１下に着脱自在に支持させる。次いで、ベースユニット３の係止部４に、仮設天井材６のパイプ材１６を係脱自在に係止して、ベースユニット３から仮設天井材６を垂らした状態とする。その後、垂らした仮設天井材６の他側縁を持ち上げ、当該他側縁にチャンネル材１８を当てた上で、留め具１７を壁Ｗに打って仮設天井材６の他側縁を固定し、これにより仮設天井材６をベースユニット３と壁Ｗとの間に渡して、天井裏空間Ｃを遮蔽する。これにより、工事が行われない期間中は、仮設天井材６により天井裏空間Ｃは覆い隠される。仮設天井材６のベースユニット３への係止および壁Ｗへの取り付けは、どちらを先に行ってもよい。
【００１８】
他方、工事施工中は、ベースユニット３の係止部４からパイプ材１６を離脱させる。これにより、仮設天井材６は、壁Ｗに沿って垂らされる。このように天井裏空間Ｃを露出させた状態で、天井裏空間Ｃにおいて当該天井裏空間Ｃに収納される空調ダクトや電気配管、給・配水管などの各種設備２３の取り付けや取り外しが行われるとともに、天井設備機器２が既存の位置から取り外されてベースユニット３に取り付けられる。これにより、施工期間中であっても、天井設備機器２を使用することができる。施工を中断する際には、再度パイプ材１６をベースユニット３の係止部４に係止させれば、仮設天井材６で天井裏空間Ｃを隠蔽して、通行に支障のない状態に復帰させることができる。
【００１９】
施工完了後は、仮設天井材６をベースユニット３および壁Ｗから取り外し、その後、天井下地材１に天井板取り付け部材９を取り付けて、天井板７を取り付けるようにすればよい。ベースユニット３は、そのまま本設としてもよく、あるいは本設の天井設備機器取り付け部材を採用する場合には、ベースユニット３から当該本設の天井設備機器取り付け部材に取り付けし直せばよい。
【００２０】
以上、改修工事の場合を説明したが、増設工事であっても同様に施工でき、その際ベースユニット３には、新設の天井設備機器２が取り付けられる。また、施工手順として、天井設備機器２をベースユニット３に取り付けた後で、仮設天井材６を設置するようにしてもよいことはもちろんである。
【００２１】
以上説明したように本実施形態にかかる仮設天井およびこれを用いた天井裏空間の施工方法にあっては、縦フレーム材１２間に形成された溝状の係止部４を有し、天井下地材１に支持されるベースユニット３と、一端に取り付けられたパイプ材１６が溝状の係止部４に嵌め込まれて係脱自在に係止され、他端は、留め具１７を通路５等の壁Ｗに打って当該壁Ｗに脱着自在に固定される柔軟性を有する仮設天井材６とを備えた仮設天井であって、この仮設天井を用いて、仮設天井材６の一端に取り付けたパイプ材１６を、天井下地材１に支持させたベースユニット３の溝状の係止部４に着脱自在に係止し、他端を、留め具１７を通路５等の壁Ｗに打って当該壁Ｗに脱着自在に固定するようにしたので、天井裏空間Ｃに配設される天井設備機器２や配管およびダクトなどの各種設備２３に対する改修工事や増築工事に際し、主にベースユニット３および仮設天井材６という簡便な装置構成で容易かつ簡単に施工対象箇所に設置でき、また撤去も容易であるとともに、廊下や通路５などの狭い空間に対して好ましく適用することができ、またこれら通路５等の日常の使用を妨げることなく天井裏や天井設備機器２の施工を行うことができる。
【００２２】
そして、工事をしない期間中は、仮設天井材６により天井裏空間Ｃを覆い隠すことができ、美感を確保できるとともに、天井裏空間Ｃからの漏水や粉塵などを仮設天井材６で受け止めることができる。これにより、日常の通行を妨げることなく工事対象箇所を維持することができる。また、施工中、仮設天井材６は壁Ｗに垂らされるので、施工中の漏水や作業に伴う汚損から壁Ｗを保護することができる。また、仮設天井材６、そしてまたベースユニット３を撤去する場合には当該ベースユニット３についても、繰り返し反復使用することができる。仮設天井材６を養生シートとしたので、その他端を通路５等の壁Ｗに脱着自在に固定するようにしたこととも併せて、広かったり狭かったりする通路５等の幅寸法に合わせて柔軟に仮設天井を形成することができる。
【００２３】
図４には、上記実施形態の変形例が示されている。この変形例にあっては、仮設天井材６に代えて、ベースユニット３の係止部４に一端が係脱自在に係止され、他端が通路５等の床Ｆに脱着自在に固定されて、壁Ｗに沿って通路５等を仕切る仮設壁材１９が備えられている。仮設壁材１９は、壁Ｗを形成するパネル材２０と、パネル材２０の上端部に設けられ、ベースユニット３上方へ突出される鍔材２１と、鍔材２１の先端に設けられた、上記仮設天井材６のパイプ材１６と同様なパイプ材２２とから構成される。パネル材２０としては、軽量鉄骨下地に、石膏ボードを貼り付けたものなどを用いればよい。そしてパイプ材２２をベースユニット３の溝状の係止部４に係止し、パネル材２０の下端を通路５等の床Ｆに、図示しない定着金具などを介して脱着自在に固定することで、通路５等に対し仮囲が形成されるようになっている。
【００２４】
このような変形例にあっても、上記実施形態と同様に、天井裏空間Ｃに配設される天井設備機器２や各種設備２３に対する改修工事や増築工事に際し、仮設天井材６に代えて仮設壁材１９を用いるという簡便な装置構成で容易かつ簡単に施工対象箇所に設置でき、また撤去も容易であるとともに、廊下や通路５などの狭い空間に対して好ましく適用することができ、またこれら通路５等の日常の使用を妨げることなく天井裏や天井設備機器２の施工を行うことができる。
【図面の簡単な説明】
【００２５】
【図１】本発明にかかる仮設天井の好適な一実施形態を説明するための仮設天井の側断面図である。
【図２】図１に示した仮設天井を用いた天井裏空間の施工方法を示す仮設天井使用状況の斜視図である。
【図３】図２に示した仮設天井を用いた天井裏空間の施工方法の工事着手前状況を示す斜視図である。
【図４】図１に示した仮設天井の変形例を示す、仮囲使用状況の斜視図である。
【符号の説明】
【００２６】
１  天井下地材
２  天井設備機器
３  ベースユニット
４  係止部
５  通路
６  仮設天井材
１９  仮設壁材
Ｃ  天井裏空間
Ｆ  通路の床
Ｗ  通路の壁
【図１】
0004680078.tif 000002
【図２】
0004680078.tif 000003
【図３】
0004680078.tif 000004
【図４】
0004680078.tif 000005